(57)【要約】      （修正有）【課題】垂直型風車の回転軸を支持する破損やメンテナンスの少ない方法を提供する。【解決手段】垂直型風力発電機のブレードの非磁性体の回転軸３０上端部に相反発する上下２枚のドーナツ型の強力永久磁石５，６を対面し設け、該２枚のドーナツ状永久磁石５，６の中央を挿通した、前期ブレードの回転軸３０の先端部に前記上側のドーナツ型磁石５の先端と溶接など固着することにより、前期ブレードと発電機３を吊るしても前記磁石同士接触しないで浮いた状態で支持しているので、ブレードと連結した発電機本体は、回転し始めるとほぼ無抵抗で回動可能になった。【選択図】図４
2011047391.tif 000002
【特許請求の範囲】
【請求項１】
従来ある垂直型風力発電機のブレードの非磁性体の回転軸上端部に相反発する上下２枚のドーナツ型の強力永久磁石を対面し設け、該２枚のドーナツ状永久磁石の中央を挿通した、前期ブレードの回転軸の先端部に前記上側のドーナツ型磁石の先端と溶接など固着することにより、前期ブレードと発電機を吊るしても前記磁石同士接触しないで支持しているので、発電容量を大きくして発電機が重くなっても、ブレードは、回転し始めるとほぼ無抵抗で回動可能にしたこととブレードの面積を大きくする必要がないことを特徴とする垂直型風力発電機用吊るし型回転軸支持具に関する。
【発明の詳細な説明】
【技術分野】
【０００１】  本発明は、垂直型風力発電機用つるし型回転軸支持具に関する。
【背景技術】
【０００２】  従来、発電装置には、様々な形式の風力発電装置やソーラー型発電装置があり、その中で垂直型風車の回転軸における軸受は、基本的にベアリングによるものであり、また、高価なため、償却までメンテナンスを含めると１０年以上かかるため、一般家庭にも普及は困難であった。
【発明の概要】
【発明が解決しようとする課題】
【０００３】  上記のような問題点を解決するため、本発明は、従来ある、垂直型風力発電機のブレードを回転視し始めると、わずかな風でも前記ブレードを無抵抗で、回転可能にすることで効率よく発電することであり、また、従来、発電容量を大きくするため、発電機の重量が重くなっても、回転し始めると、回転力はほぼ無抵抗となることと従来ブレードの面積を大きくする必要が無く、さらに、高価なベアリングの代わりに本発明を使用することにより、従来の製品価格よりかなり安価で提供できるので、公共施設、一般家庭、特に電気自動車の充電用として、また、小型のハイブリッド船舶などにも普及させることを目的とする。
【課題を解決するための手段】
【０００４】  本発明は、ドーナツ状の相反発するよう２枚が対面した強力永久磁石の中央部に風車の回転軸の上端部を挿通し、上部永久磁石と該回転軸の先端と固着し、複数枚のブレードを持つ風車と発電機を吊るしても相反発する磁力により、下部の永久磁石と接触することがなく、浮いた状態でブレードの回転軸が吊るされ支持される。
【発明の効果】
【０００５】  本発明は、ドーナツ状の相反発するよう２枚が対面した強力永久磁石の中央部に風車の回転軸の上端部を挿通し、上部永久磁石と該回転軸の先端と固着し、ブレードと発電機を吊るしても相反発する磁力（＋同士）により、下部永久磁石と接触することがなく、支持されるため、ブレードは、回転し始めるとほぼ無抵抗の状態でわずかな風でも回転可能である。【０００６】従来のようにベアリングを使用した場合、風車が回転するとベアリングが破損することがあり、メンテナンスを要するが、本発明では、浮いた状態で、ブレードと発電機の回転軸を吊るした状態で支持しているため、回転し始めるとほぼ無抵抗で該ブレードは、微風でも回転するため、回転しても磁石同士が接触していないので、壊れる心配やメンテナンスがほとんど不要である。【０００７】さらに、本発明の回転軸の支持具以外は、既成の製品を利用して組み合わせて発電装置を形成できることにより、海外の製品と組み合わせ可能であるため、従来の風力発電機の製品価格よりかなり安価な価格で提供でき、小規模の公共施設や一般家庭にも普及でき、電気自動車やハイブリッド船舶にも設置可能で環境にも良い。
【発明を実施するための形態】
【０００８】本発明は、従来ある垂直型風力発電機のブレードの非磁性体の回転軸上端部に相反発する上下２枚のドーナツ型の強力永久磁石を対面し設け、該２枚のドーナツ状の強力永久磁石の中央を挿通した、前期複数枚のブレードをも持つブレードの回転軸の先端部に前記上部のドーナツ型磁石の先端を固着することにより、前期風車と発電機を吊るしても前記ドーナツ状磁石同士が接触しないで支持しているので、ブレードは、回転し始めるとほぼ無抵抗で回動可能にした。
【実施例１】
【０００９】従来、太陽光パネル発電や風力発電による発電装置があるが、どの回転軸の支持体にはベアリングを使用しているので、ベアリングに負荷がかかり、破損やメンテナンスの必要がある上、高価でもあった。【００１０】更に、小型の家庭用のその他一般的な発電装置でも高価な設備費が必要で、この設備費分の電力料金を得るまでかなりの年月がかかっていた。【００１１】  本発明は、特に発電能力をほぼ１００％発揮でき、メンテナンスが簡単でしかも安価に発電装置を提供することを目的とする。【００１２】  このような、欠点を解消するため発明されたもので、本発明を図面に従って詳しく説明すると、図６に示す垂直型風力発電機に取り付け可能であるが、一実施例として、図１の発電装置全体１やそのほかの図面で説明する。【００１３】設置面４６に柱ベース４５の上に柱材４１を４本立設し、下側梁材４２と上側梁材５０からなる枠体４０の上側梁材５０に吊るし型回転軸支持具１０を取り付ける支持材４７と前記吊るし型回転軸支持具１０を取り付ける台座４８があり、下側梁材４２に発電機台座用支持材４３を設け、該中央部に発電機台座４４があり、発電機３が発電機支持材３２の上にあり、ブレード支持材８下部回転軸３１がボルト３９で回動する発電機本体３８と接合し、前期発電機台座４４に設置され、発電機ユニット４と連結する。【００１４】該発電機３の回転軸３１とブレード連結支持材８が連結し、図４に示す、該ブレーッド連結支持材８の上部にある支持材回転軸３０は、吊るし手段１０の台座４８の中央部にある回転軸支持部９と下部磁石取り付け台座２１にある突起状壁２２の内側に当接し、下部磁石カバー１６が嵌合し、該下部磁石の貫通孔１８を介し、更にカバー材１５内の上部ドーナツ状磁石５の貫通穴１７を介して挿通し、固定ナット２４（上部磁石５の固定用）が溶接２５で固着されている。【００１５】前記説明した、吊るし型回転軸支持具１０の磁石保護カバー１１の内部１３には、前記支持材回転軸３２に挿通したドーナツ状強力永久磁石、上部磁石５と下部磁石６が、相反発するためと反発力が増す＋同士で対面させて配置してある。【００１６】前記台座４８にねじ孔を設け、固定ボルト１４で前記台座２１に設けられた貫通孔２８を介し、前記台座４８と固定されている。【００１７】以上のような、吊り下げ型回転軸支持具１０の回転軸でもある支持材回転軸３０の下端はブレード２とブレード連結支持材８がブレーッド連結棒７を介し、ブレード２０が連結固定されている。
該ブレーッド２０は、図３に示す一実施例の平面図において、前記ブレード連結棒を垂直とした時３０°の角度を付けることにより、どの方向からの風でも羽根２は、有効的に回転することは、周知のことであり図示するが、ブレード２０と連結棒７が直角に配設するものも周知のことであるので、風を受け易いよう一実施例として、ブレード２０の枚数を６枚とした。【００１８】以上のような構成からなるブレード２の回転軸は、ブレード２の支持材８に上下固定ボルト５１と５２で、前記回転軸３０と３１を回動しないよう固定されているので、発電機回転軸３１と直結し、発電機３の下方にある発電機支持材３２が台座４４に設置され、該台座４４は支持材４３で固定されており、連けるライン２７を介し、モニター盤６０に発電された入った電気がバッテリー７０からインバータ９０からなる、発電ユニット４を介し、使用可能電圧で電化製品１００が使用可能となる。【００１９】この他、従来の垂直型風力発電機のブレードの形状は、図６に示す通り、ダリウス型、ジャイロミル型、サポニウス型、クロスフロー型などがあり、本発明である吊るし型回転軸支持具１０が取り付け可能であり、風力発電が可能である。【００２０】前記、吊るし型回転軸支持具１０は、ブレード全体２と発電機３の重量が１００ｋｇとなるものを吊るした状態でも、また、更に電気容量を増やすため、発電機が重くなっても、強力磁石同士反発して浮いた状態で支持されているので、該ブレード全体２が回転し始めると、ほとんど無抵抗でブレード全体２は回転し、発電される。
【産業上の利用可能性】
【００２１】本発明によると、高価なベアリングを使用しないので、ブレードが回転し始めると、ほぼ無抵抗でブレードが回転し、また、電気容量を大きくするため発電機の重量が重くなっても前記と同様にブレードが回転し始めるとほぼ無抵抗で回転し、ブレードの面積を大きくする必要がないので、発電能力を効率よく発電でき、海岸線の住宅地、屋上あるいは公園などに風通しのよい場所に設置すれば、安価な設備費で今までの発電装置よりもかなり短期間で償却可能となる。【００２２】本発明は、既成の垂直型風力発電機にも取り付け可能なため、海外の製品などと組み合わせた風力発電装置とすることが可能となり、既成の海外の製品などを組み合わせることが可能であるので、安価な設備投資費となるので、一般家庭でも普及することになる。【００２３】  従って、助成金などを利用して設備投資することにより、マンションの屋上、風通しのよい場所の住宅地や決して停電があってはならない病院などに設置することにより、停電がなく、また、クリーンエネルギーが得られるので、環境に大変良い。【００２４】その他、電気自動車やハイブリッドの小型船舶の充電用としても利用可能であるので、今後大いに自家発電として普及する。
【図面の簡単な説明】
【００２５】
【図１】  本発明を取り付けた一実施例を示す斜視図である。
【図２】  本発明を取り付けた一実施例を示す正面図である。
【図３】  本発明を取り付けた一実施例を示す平面図である。
【図４】  本発明の詳細な中央部縦断面図と支持材及び発電機と発電機ユニットの構成図である。
【図５】  本発明を取り付け可能な従来の垂直型風力発電機の実施例を示すものである。
【図６】  本発明を取り付け可能な、主な垂直型発電機を示すものである。
【図７】  本発明を含む全体の発電機装置を示す、一実施例を示すものである。
【符号の説明】
【００２６】  １…風力発電装置全体
２…ブレード全体
３…発電機全体
４…発電機ユニット
５…上部永久磁石
６…下部永久磁石
７…ブレード連結棒
８…ブレード連結棒支持材
９…回転軸支持部
１０…吊るし手段全体
１１…磁石保護カバー
１２…固定用貫通孔
１３…保護カバー内部
１４…固定ボルト
１５…上部磁石カバー材
１６…下部磁石カバー材
１７…上部磁石貫通孔
１８…下部磁石貫通孔
２０…ブレード
２１…下部磁石取り付け台座
２２…立ち上がり壁
２３…固定ボルト取り付け用ネジ孔
２４…上側磁石固定用ナット
２５…溶接部
２６…下部ストッパ用ナット
２７…連結ライン
２８…取り付け孔
３０…支持材回転軸
３１…発電機回転軸
３２…発電機支持材
４０…枠体全体
４１…柱材
４２…下側梁材
４３…発電機台座用支持材
４４…発電機台座
４５…柱ベース
４６…設置面
４７…吊るし型回転軸支持具台座支持材
４８…吊るし型回転軸支持具台座
５０…上側梁材
６０…モニター盤
７０…バッテリー（蓄電器）
１００…電化製品
【図１】
2011047391.tif 000003
【図２】
2011047391.tif 000004
【図３】
2011047391.tif 000005
【図４】
2011047391.tif 000006
【図５】
2011047391.tif 000007
【図６】
2011047391.tif 000008
【図７】
2011047391.tif 000009